(57)【特許請求の範囲】
【請求項１】
光コネクタ用アダプタハウジングの上面または下面に形成された取付孔に挿入され、該取付孔内側で固定可能となるよう前後両端部に複数の爪脚部が略直角に折り曲げられた状態で突設され、且つ中央面が爪脚部の折り曲げ方向とは反対方向に若干隆起してなる係止面となった係止バネを備え、当該係止バネは、その係止面が光コネクタ用アダプタハウジングの上側壁または底壁に向けて順次圧潰されながらパネルにおけるアダプタ取付部に嵌着保持されて成るものとしたことを特徴とする光コネクタ用アダプタのガタ止め機構。
【請求項２】
光コネクタ用アダプタハウジングの取付孔に挿入される爪脚部は、取付孔内側で折り込まれ、あるいは取付孔内に圧入されることにより固定されるものとした請求項１記載の光コネクタ用アダプタのガタ止め機構。
【請求項３】
取付孔内側には、装着した係止バネと光コネクタ用プラグとが互いに干渉しない空間部を設けて成る請求項１記載の光コネクタ用アダプタのガタ止め機構。
【発明の詳細な説明】
【技術分野】
【０００１】
本発明は、光コネクタプラグの高密度実装における光コネクタ用アダプタのガタ止め機構に関する。
【背景技術】
【０００２】
従来、光コネクタプラグの高密度実装における光コネクタ用アダプタ１００をパネルＰに取り付ける場合、図５（ａ）に示すように、該光コネクタ用アダプタ１００の左右両サイドにバネ等の抜け止め部１０１を設けたスナップイン方式を採っている。
【０００３】
しかし、このようなスナップイン方式によると、パネルＰの取付孔Ｑと光コネクタ用アダプタ１００との間に若干のクリアランスが生じるため、パネルＰを動かすと光コネクタ用アダプタ１００がガタ付いてガタガタと音を出してしまうことがある。
【０００４】
このようなガタガタ音が出るのを未然に防止するため、従来では、図５（ｂ）に示すように、光コネクタ用アダプタ１００の両サイドのフランジ１０２を大きくして、そこに孔１０３を設け、この孔１０３に例えばタッピングネジ等の締結部材１０４をパネルＰを貫通するようにねじ込むことで光コネクタ用アダプタ１００のガタ付きを無くす方式が採られている。
【特許文献１】特になし
【発明の開示】
【発明が解決しようとする課題】
【０００５】
しかしながら、従来においては、光コネクタ用アダプタの両サイドにおけるフランジにネジ止めのスペースを設けた分だけ当該光コネクタ用アダプタの外形が大きくなるため、高密度の実装には向かないという問題点を有している。
【０００６】
そこで、本発明は、叙上のような従来存した諸事情に鑑み案出されたもので、光コネクタ用アダプタをパネルに取り付けた際に、光コネクタ用アダプタのガタ付きを容易且つ確実に無くすことができ、パネルに震動を与えてもガタガタ音の発生を防ぐことができ、しかも光コネクタ用アダプタへの光コネクタプラグの挿入が支障なく行えるものとした光コネクタ用アダプタのガタ止め機構を提供することを目的とする。
【課題を解決するための手段】
【０００７】
上述した課題を解決するため、本発明にあっては、光コネクタ用アダプタハウジングの上面または下面に形成された取付孔に挿入され、該取付孔内側で固定可能となるよう前後両端部に複数の爪脚部が略直角に折り曲げられた状態で突設され、且つ中央面が爪脚部の折り曲げ方向とは反対方向に若干隆起してなる係止面となった係止バネを備え、当該係止バネは、その係止面が光コネクタ用アダプタハウジングの上側壁または底壁に向けて順次圧潰されながらパネルにおけるアダプタ取付部に嵌着保持されて成るものとしたことを特徴とする。
【０００８】
光コネクタ用アダプタハウジングの取付孔に挿入される爪脚部は、取付孔内側で折り込まれ、あるいは取付孔内に圧入されることにより固定されるものとなっている。
【０００９】
また、取付孔内側には、装着した係止バネと光コネクタ用プラグとが互いに干渉しない空間部を設けて成る。
【発明の効果】
【００１０】
本発明によれば、光コネクタ用アダプタをパネルに取り付けた際に、光コネクタ用アダプタのガタ付きを容易且つ確実に無くすことができ、パネルに震動を与えてもガタガタ音の発生を防ぐことができ、しかも光コネクタ用アダプタへの光コネクタプラグの挿入が支障なく行える。
【００１１】
光コネクタ用アダプタハウジングの取付孔に挿入される爪脚部は、取付孔内側で折り込まれ、あるいは取付孔内に圧入されることにより固定されるものとなっているので、ガタ付くことなくしっかりと固定されるのは勿論、作業性も良い。
【００１２】
また、取付孔内側には、装着した係止バネと光コネクタ用プラグとが互いに干渉しない空間部を設けて成るので、係止バネが取り付けられていても、光コネクタ用アダプタへの光コネクタプラグの挿入が支障なく行える。
【００１３】
さらに、係止バネは、その係止面が光コネクタ用アダプタハウジングの上側壁または底面に向けて順次圧潰されながらパネルにおけるアダプタ取付部に嵌着保持されて成るので、パネルのアダプタ取付部に対し、光コネクタ用アダプタをクリアランスを生じさせない状態でスムーズに嵌着させることができる。
【発明を実施するための最良の形態】
【００１４】
以下、図面を参照して本発明に係る光コネクタ用アダプタのガタ止め機構を実施するための最良の一形態を詳細に説明する。
【００１５】
本発明に係る光コネクタ用アダプタは、２心コネクタ用のアダプタ本体１によって構成され、高密度実装可能としたパネルＰの矩形開口状のアダプタ取付部Ｑに嵌着固定されるものである。
【００１６】
このアダプタ本体１は、図１（ａ）または図１（ｂ）に示すように、二つの光コネクタプラグ相互を接続できるように、合成樹脂の成型品でなる角筒状のアダプタハウジング２の両端に、光学軸が一致するように光コネクタプラグの一方の嵌合部Ａと、光コネクタプラグその他の光学部品の他方の嵌合部Ｂとをそれぞれ備えている。
【００１７】
アダプタハウジング２は、図３（ａ）乃至図３（ｃ）に示すように、上側壁、左右の側壁、底壁、１つの仕切壁とが一体に形成されて２つの嵌合部Ａ、Ａ（Ｂ、Ｂ）が並置されて成り、アダプタハウジング２の中央には略コ字枠状となった左右一対の接合端壁３ａが配置され、一方の嵌合部Ａにおける嵌合端３ｂ、および他方の嵌合部Ｂにおける接続端３ｃがそれぞれ水平方向に開口している。
【００１８】
また、アダプタハウジング２の中央部に配される左右一対の接合端壁３ａの一方には、一方の円筒４ａが嵌合端３ｂに向かって突設してあると共に、他方の接合端壁３ａには、他方の円筒４ｂが接続端３ｃに向かって形成してあり、両円筒４ａ、４ｂが光学軸上で中心軸を一致させて接合端壁３ａ同士を不図示の嵌合爪を介して係合固定することによってスリーブホルダー４が形成される。このとき、スリーブホルダー４内側に円筒状の割りスリーブ５が装着され保持されている。
【００１９】
光コネクタ用プラグは、例えばＬＣ型のプラグ本体１１によって構成されており、該プラグ本体１１は、図３（ｄ）に示すように、比較的高強度なプラスチックから成るカップリングスリーブ１２と、このカップリングスリーブ１２内にフェルール用チューブ１３およびフェルールフレーム１４に装着されたフェルール１５と、フェルールフレーム１４の後端部外周に装着されるスプリング１６と、このスプリング１６を介してフェルールフレーム１４の後端部に嵌合するプラスチック製の本体フレーム１７と、該本体フレーム１７後部に装着されたブーツ２０とを具備する。
【００２０】
また、図３（ｄ）に示すように、カップリングスリーブ１２の外周面には、アダプタ本体１との係合およびその解除を行うための解除レバー１８がカップリングスリーブ１２に一体的に設けられている。この解除レバー１８は、カップリングスリーブ１２の先端部から後端部に向かって徐々にカップリングスリーブ１２外表面から離れるように傾斜して延設されており、その後端部は、本体フレーム１７の外周面に形成されたラッチレバー１９に当接するようカップリングスリーブ１２とは反対側に傾斜状に突出している。
【００２１】
次に、本発明に係る光コネクタ用アダプタのガタ止め機構について詳細に説明する。
【００２２】
このガタ止め機構としては、図１（ａ）、図１（ｂ）、図２に示すように、略矩形板片状の金属部材によって形成され、前後両端部それぞれの左右に爪脚部２２が略直角に折り曲げられた状態で突設され、且つ中央面が爪脚部２２の折り曲げ方向とは反対方向に若干隆起してなる係止面２３となった係止バネ２１を使用している。
【００２３】
また、アダプタハウジング２の上面には、前記係止バネ２１の各爪脚部２２を挿入するための例えば矩形小孔状の取付孔２４を前後左右４箇所に設けている。尚、この取付孔２４は、アダプタハウジング２の下面に設けることで、係止バネ２１がアダプタハウジング２の下面に取り付けられるようにしても良い。
【００２４】
そして、図３（ａ）乃至図３（ｃ）に示すように、アダプタハウジング２内部には、これら取付孔２４に連通する偏平状の空間部２５を両嵌合部Ａ、Ｂに対応して設けてあり、係止バネ２１の各爪脚部２２を、これらの取付孔２４に各挿入してから、当該空間部２５内で各爪脚部２２を互いに内方に向けて折り曲げることで係止バネ２１自体がしっかりとアダプタハウジング２に固定されるようにしている。
【００２５】
しかも、この空間部２５の存在により、図３（ｄ）に示すように、プラグ本体１１をアダプタハウジング２の各嵌合端３ｂに接続した際には、係止バネ２１は、プラグ本体１１の先端接続部分と干渉しないようになっている。
【００２６】
また、図４に示すように、光コネクタ用アダプタハウジング２は、４心コネクタ用のアダプタ本体１によって構成されていても良い。この場合、上側壁、左右の側壁、底壁、３つの仕切壁とが一体に形成されて４つの嵌合部Ａ、Ａ、Ａ、Ａ（Ｂ、Ｂ、Ｂ、Ｂ）が並置されて成る。
【００２７】
ところで、以上説明した上記の実施形態では、図３に示すように、係止バネ２１の各爪脚部２２は、取付孔２４に挿入した後内方に向けて折り曲げて固定されるものとなっているが、これに限定されるものではなく、例えば取付孔２４に各爪脚部２２を圧入することによって固定できるようにしても良い。
【００２８】
次に、以上のように構成された本発明・光コネクタ用アダプタのガタ止め機構の最良の形態における係止バネ２１の組立手順の一例について詳細に説明する。
【００２９】
先ず、図３（ａ）に示すように、係止バネ２１の各爪脚部２２を各取付孔２４に挿入して、係止面２３の隆起方向が上方に向くように配置する。
【００３０】
そして、図３（ｂ）に示すように、空間部２５内に突出された各爪脚部２２を、例えばドライバーの先端部等で押し込んで、互いに内方に向けて折り曲げる。既述した圧入タイプでは、取付孔２４に各爪脚部２２を圧入するだけで良い。而して、係止バネ２１がしっかりとアダプタハウジング２に固定される。
【００３１】
図３（ｃ）に示すように、パネルＰにおけるアダプタ取付部Ｑにアダプタハウジング２を挿入する。このとき、アダプタハウジング２は、その係止バネ２１の係止面２３がアダプタハウジング２の上側壁に向けて順次圧潰されながらしっかりとアダプタ取付部Ｑに嵌着保持される。
【００３２】
図３（ｄ）に示すように、プラグ本体１１をアダプタハウジング２の各嵌合端３ｂに接続する。このとき、係止バネ２１は、空間部２５内で各爪脚部２２が折り込まれているため、プラグ本体１１の先端接続部分とは干渉しない。
【図面の簡単な説明】
【００３３】
【図１】本発明を実施するための最良の形態における係止バネの使用の一例を示し、（ａ）は係止バネを光コネクタ用アダプタの取付孔に装着する前状態の斜視図、（ｂ）は係止バネを光コネクタ用アダプタの取付孔に装着した状態の斜視図である。
【図２】同じく係止バネを使用して光コネクタ用アダプタをパネルに装着した状態の平面図である。
【図３】同じく図２中のＡ−Ａ断面において係止バネを取付ける手順を示すもので、（ａ）は係止バネを光コネクタ用アダプタの取付孔に装着する前状態の断面図、（ｂ）は係止バネを光コネクタ用アダプタの取付孔に装着した状態の断面図、（ｃ）は光コネクタ用アダプタをパネルに装着して係止バネで保持した状態の断面図、（ｄ）は光コネクタ用アダプタにコネクタプラグを接続した状態の断面図である。
【図４】係止バネの他の使用例を示す斜視図である。
【図５】従来例を示し、（ａ）はスナップイン方式の例を示す光コネクタ用アダプタの平面図、（ｂ）はネジ止め方式による光コネクタ用アダプタの平面図である。
【符号の説明】
【００３４】
Ｐ      パネル
Ｑ      アダプタ取付部
Ａ      一方の嵌合部
Ｂ      他方の嵌合部
１      アダプタ本体
２      アダプタハウジング
３ａ    接合端壁
３ｂ    嵌合端
３ｃ    接続端
４      スリーブホルダー
４ａ    一方の円筒
４ｂ    他方の円筒
５      割りスリーブ
１１    プラグ本体
１２    カップリングスリーブ
１３    フェルール用チューブ
１４    フェルールフレーム
１５    フェルール
１６    スプリング
１７    本体フレーム
１８    解除レバー
１９    ラッチレバー
２０    ブーツ
２１    係止バネ
２２    爪脚部
２３    係止面
２４    取付孔
２５    空間部
１００  光コネクタ用アダプタ
１０１  抜け止め部
１０２  フランジ
１０３  孔
１０４  締結部材
【図１】
0005154987.tif 000002
【図２】
0005154987.tif 000003
【図３】
0005154987.tif 000004
【図４】
0005154987.tif 000005
【図５】
0005154987.tif 000006